(57)【要約】【課題】照明制御システムにおいて、コストを低減すると共に、使用者別に、また使用者の動作内容別に、使用者が必要とする照度で照明器具を点灯させる。【解決手段】照明制御システム１は、照明器具２と、使用者情報を記憶し、使用者に携帯されるＩＣタグ４と、ＩＣタグ４に記憶される使用者情報を読み取り、該使用者情報に応じて照明器具２を制御する情報読取装置６と、を備える。ＩＣタグ４の使用者情報は、使用者自体の属性と、使用者、使用者の位置及び使用者の動作内容に応じて予め設定される使用者の動作属性と、を含む。情報読取装置６は、ＩＣタグ４から使用者情報を読み取り、使用者の現在位置を認識し、使用者情報と使用者の現在位置とに基づいて照明器具２を制御する。このため、使用者情報に応じて、使用者別に、また使用者の動作内容別に、必要な照度で照明器具を点灯させることができる。【選択図】図１
2007200715.tif 000002
【特許請求の範囲】
【請求項１】
照明器具と、
使用者情報を記憶し、使用者に携帯される情報記憶部と、
前記情報記憶部に記憶される使用者情報を読み取り、該使用者情報に応じて照明器具を制御する情報読取装置と、を備える照明制御システムにおいて、
前記情報記憶部の使用者情報は、使用者自体の属性と、使用者、使用者の位置及び使用者の動作内容に応じて予め設定される使用者の動作属性と、前記使用者自体の属性と前記使用者の動作属性とに応じて選択される前記照明器具の制御情報と、を含み、
前記情報読取装置は、前記情報記憶部から使用者情報を読み取り、使用者の現在位置を認識し、使用者情報と使用者の現在位置とに基づいて前記照明器具を制御することを特徴とする照明制御システム。
【請求項２】
前記照明器具及び情報読取装置は、複数台設置され、
前記情報読取装置のいずれか１台が、使用者情報を読み取ったとき、複数台の照明器具を制御することを特徴とする請求項１に記載の照明制御システム。
【請求項３】
使用者の現在位置が変化したとき、使用者情報を読み取る前記情報読取装置が変わり、それに伴って前記照明器具の制御内容が変わることを特徴とする請求項２に記載の照明制御システム。
【請求項４】
前記情報記憶部は複数存在し、前記情報読取装置は、前記複数の情報記憶部から複数の使用者情報を読み取り、これらのいずれか１つの使用者情報に応じて前記照明器具を制御することを特徴とする請求項１乃至請求項３のいずれかに記載の照明制御システム。
【請求項５】
前記情報読取装置は、使用者情報を読み取った後、一定期間、次の使用者情報を読み取らなかった場合、前記照明器具を消灯させることを特徴とする請求項１乃至請求項４のいずれかに記載の照明制御システム。
【請求項６】
前記照明器具は、照度を測定可能な照度測定手段を有し、
前記照度測定手段は、前記照明器具の照度を測定し、測定結果を前記情報読取装置に出力し、
前記情報読取装置は、該照度が、使用者情報に応じて定められる照度以上の照度かどうかの判定を行なうことを特徴とする請求項１乃至請求項５のいずれかに記載の照明制御システム。
【発明の詳細な説明】
【技術分野】
【０００１】
本発明は、使用者の属性に合わせて照明器具を制御する照明制御システムに関する。
【背景技術】
【０００２】
従来から、使用者の性別や好み等の属性に応じて、照明器具を制御する照度制御システムが知られている。このようなシステムの一例として、歩行者の属性等に応じて適切な照明制御を行なう歩行者用照明システムが知られている（例えば、特許文献１参照）。この歩行者用照明システムは、照明灯と、読み取り器と、制御部とを備える。読み取り器は、所定の歩行者により携帯された情報媒体から情報を読み取る。情報媒体には当該歩行者の属性を示す情報が書き込まれて、前記情報が離れた位置から読み取り可能となっている。制御部は、夜間等の照明時において、読み取り器により読み取られた情報に基づいて、照明灯の明るさを制御する。
【０００３】
なお、照明制御において目標とされる照明器具の明るさは、人がいる部屋や作業内容によって異なる。非特許文献１では、住宅内の各種部屋に適した照度と、作業内容すなわち動作内容に適した照度が規定されている。また、個人に必要な明るさは、その人の年齢によって異なる。加齢によって視力は変化し、例えば、６０歳の人の視力は２０歳の人の視力の約半分になる。このため、同じ作業を行なう場合、６０歳の人は、２０歳の人が必要とする明るさの２倍の明るさが必要となる。
【０００４】
また、照明器具の制御に限らず、建物内の人の位置情報とその変化、及び個人識別情報に基づいて行動を解析予測し、解析予測結果をもとに各種機器の制御を行なうホームコントローラが知られている（例えば、特許文献２参照）。このホームコントローラについて図１１を参照して説明する。個人識別情報が格納された携帯端末３０が、各部屋に取り付けられた中継装置３１と通信を行なうことにより、中継装置３１は個人識別情報を受信する。受信後、中継装置３１は、ホームコントローラ３２へ個人識別情報を送信する。ホームコントローラ３２は、個人識別情報を送信した中継装置３１の位置情報、番号等から個人の位置を認識する。次に、ホームコントローラ３２は、個人認識手段により、個人識別情報に基づいて個人を認識し、過去に蓄積された個人位置情報から個人の次の行動を予測する。予測結果に基づき、制御信号が、ホームコントローラ３２から中継装置３１へ送信される。中継装置３１は、この制御信号を、制御が必要な機器３３へ送信する。
【特許文献１】特開２００５−７１６２４号公報
【特許文献２】特開２００３−２４４７７６号公報
【非特許文献１】ＪＩＳ  Ｚ９１１０−１９７９  照度基準  付表７−１  住宅
【発明の開示】
【発明が解決しようとする課題】
【０００５】
しかしながら、特許文献１に記載の技術では、歩行者の属性に基づいて照明を制御することができたが、歩行者が特定の場所で主に行なう動作内容等の動作属性に応じて照明を制御することができなかった。
【０００６】
また、特許文献２に記載の技術では、ホームコントローラ３２が、中継装置３１を介して携帯端末３０から個人識別情報を受信し、個人の認識と位置の特定を行なっていたので各部屋に中継機器を設置すると共に、個人一人一人に携帯端末を用意する必要が生じ、設置コストが高くなっていた。また、携帯端末を個人部屋に置いた状態で住宅内を移動した場合、個人を認識できないので、移動の際に携帯端末を常に持ち歩かなければならず、利便性が低いものとなっていた。さらに、ホームコントローラ３２により、各機器の制御を決定するための行動予測が行なわれるので、過去の個人の行動データを蓄積する必要が生じ、行動データが膨大となっていた。
【０００７】
本発明は、上記従来の問題を解決するためになされたものであり、コストを低減すると共に、使用者の年齢、視力等の属性と、使用者が特定の場所で行なう動作内容等の動作属性と、に応じて、使用者別に、また使用者の動作内容別に、使用者が必要とする照度で照明器具を点灯させることができる照明制御システムを提供することを目的とする。
【課題を解決するための手段】
【０００８】
上記目的を達成するために請求項１の発明は、照明器具と、使用者情報を記憶し、使用者に携帯される情報記憶部と、前記情報記憶部に記憶される使用者情報を読み取り、該使用者情報に応じて照明器具を制御する情報読取装置と、を備える照明制御システムにおいて、前記情報記憶部の使用者情報は、使用者自体の属性と、使用者、使用者の位置及び使用者の動作内容に応じて予め設定される使用者の動作属性と、前記使用者自体の属性と前記使用者の動作属性とに応じて選択される前記照明器具の制御情報と、を含み、前記情報読取装置は、前記情報記憶部から使用者情報を読み取り、使用者の現在位置を認識し、使用者情報と使用者の現在位置とに基づいて前記照明器具を制御するものである。
【０００９】
請求項２の発明は、請求項１に記載の照明制御システムにおいて、前記照明器具及び情報読取装置は、複数台設置され、前記情報読取装置のいずれか１台が、使用者情報を読み取ったとき、複数台の照明器具を制御するものである。
【００１０】
請求項３の発明は、請求項２に記載の照明制御システムにおいて、使用者の現在位置が変化したとき、使用者情報を読み取る前記情報読取装置が変わり、それに伴って前記照明器具の制御内容が変わるものである。
【００１１】
請求項４の発明は、請求項１乃至請求項３のいずれかに記載の照明制御システムにおいて、前記情報記憶部は複数存在し、前記情報読取装置は、前記複数の情報記憶部から複数の使用者情報を読み取り、これらのいずれか１つの使用者情報に応じて前記照明器具を制御するものである。
【００１２】
請求項５の発明は、請求項１乃至請求項４のいずれかに記載の照明制御システムにおいて、前記情報読取装置は、使用者情報を読み取った後、一定期間、次の使用者情報を読み取らなかった場合、前記照明器具を消灯させるものである。
【００１３】
請求項６の発明は、請求項１乃至請求項５のいずれかに記載の照明制御システムにおいて、前記照明器具は、照度を測定可能な照度測定手段を有し、前記照度測定手段は、前記照明器具の照度を測定し、測定結果を前記情報読取装置に出力し、前記情報読取装置は、該照度が、使用者情報に応じて定められる照度以上の照度かどうかの判定を行なうものである。
【発明の効果】
【００１４】
請求項１に記載の発明によれば、使用者情報に応じて、使用者別に、また使用者の動作内容別に、必要な照度で照明器具を点灯制御することができる。また、中継装置を必要としないので、コストを抑制することができる。さらに、使用者情報に応じて照明器具が制御されるので、人感知センサによる照明制御の場合のようにペット等の人間以外の動くものに反応して照明器具が点灯することを防止できる。
【００１５】
請求項２に記載の発明によれば、広い部屋に複数台の照明器具が設置される場合等に、１台の情報読取装置が使用者情報を読み取ったとき、複数台の照明器具を制御することができ、実使用において違和感のない照明制御が可能となる。
【００１６】
請求項３に記載の発明によれば、使用者の移動中に、情報読取装置が使用者情報を読み取ったとき、情報読取装置から照明器具までの距離の違いに応じて、照明器具の制御内容を変えることができる。また、使用者情報を読み取った情報読取装置の位置と、当該装置が使用者情報を読み取った順番と、に応じて、複数台の照明器具を制御することができる。
【００１７】
請求項４に記載の発明によれば、情報読取装置が複数の使用者情報を受信した場合に、それらのいずれか一つの使用者情報に基づいて照明器具が制御されるので、使用者情報を読み取る度に制御内容が変わることがなく、制御の混乱を避け、安定した照明制御が可能となる。
【００１８】
請求項５に記載の発明によれば、情報読取装置が使用者情報を読み取った後、一定期間の間だけ照明器具を点灯させることができるので、照明の消し忘れを防止することができ、照明制御システムの省エネルギーを図ることができる。
【００１９】
請求項６に記載の発明によれば、使用者別に、また使用者の動作内容別に必要とされる照度以上の照度で照明器具を点灯させることができる。
【発明を実施するための最良の形態】
【００２０】
本発明の第１の実施形態に係る照明制御システムについて図１及び図２を参照して説明する。図１は照明制御システムの構成を示す。照明制御システム１は、照明器具２と、照明器具２を操作するための操作器３と、使用者情報を記憶し、使用者に携帯されるＩＣタグ４（情報記憶部）と、ＩＣタグ４が取り付けられたスリッパ５と、ＩＣタグ４に記憶される使用者情報を読み取り、該使用者情報に応じて照明器具２を制御する情報読取装置６と、を備える。
【００２１】
照明器具２は、点灯可能にされたランプ等の光源を有し、天井又は壁に固定される照明器具と照明スタンドとを含み、操作器３により操作される。
【００２２】
操作器３は、無線通信回路と、制御信号を生成するＣＰＵ等を含む制御回路とで構成されるリモコン等の携帯可能な機器であって、建物の各部屋に備えられる。また、操作器３は、照明器具２の照度調整をして照度制御を行なうための制御信号を赤外線又は微弱電波で照明器具２へ出力し、照明器具２を操作すると共に、情報読取装置６と無線信号を送受信できる。
【００２３】
ＩＣタグ４は、使用者情報を記憶し、例えばスリッパ５に取り付けられる。スリッパ５は使用者と共に移動するものであるため、その使用者の使用者情報に基づいて照明制御を行なうことにより、使用者に適した照度で照明器具を点灯させることが可能となる。ＩＣタグ４の使用者情報は、使用者自体の属性と、使用者、使用者の位置及び使用者の動作内容に応じて予め設定される使用者の動作属性と、使用者自体の属性と使用者の動作属性とに応じて選択される照明器具２の制御情報と、を含む。使用者自体の属性には、年齢、性別、視力等が含まれる。使用者の動作属性には、特定の場所、例えば特定の部屋において、使用者が主に行なう動作の内容が含まれる。この動作属性には、例えば、居間で裁縫をすること、居間で娯楽を楽しむこと、書斎で読書又は勉強を行なうこと、台所で食器を洗うこと、玄関で鏡を見ること、玄関で靴を履いたり脱いだりすること等が含まれる。このような構成のため、使用者情報に応じて、使用者別に、また使用者の動作内容別に、必要な照度で照明器具を点灯させることができる。
【００２４】
情報読取装置６は、ＩＣタグ読取装置で構成され、部屋の入口近辺に設置される。情報読取装置６は、ＩＣタグ４と信号を送受信可能であって、スリッパ５に取り付けられたＩＣタグ４から使用者情報を無線で読み取る。この使用者情報に基づいて照明制御を行なうため、操作信号が情報読取装置６から操作器３に無線で送信される。
【００２５】
図２は、照明制御システム１の動作手順を示す。使用者が部屋に入ったとき、情報読取装置６はＩＣタグ４から使用者情報を読み取り、使用者が部屋のいることを認識する（Ｓ１０１）。
【００２６】
情報読取装置６は、読み取った使用者情報のうち、使用者自体の属性と使用者の動作属性に基づいて、使用者に必要な照明器具２の照度Ｘを算出する（Ｓ１０２）。必要照度Ｘは、２０歳の男女の視力の平均値をＹ０とし、使用者が該当する年齢の視力をＹ１とし、ＪＩＳ  Ｚ９１１０−１９７９で定められた各部屋での特定の動作に必要な明るさをＺとした場合、下記の数１の数式により算出される。
【数１】
2007200715.tif 000003
【００２７】
さらに、情報読取装置６は、数１の数式により算出された必要照度Ｘを、予め登録した複数の照明制御パターンにおける照明器具２の照度と比較し、照明器具２の照度が必要照度Ｘ以上となる照明制御パターンを選択する（Ｓ１０３）。照明制御パターンは、予め登録された照度のパターンに合わせて照明器具２を点灯させるための制御情報である。選択された照明制御パターンに基づく操作信号が、情報読取装置６から操作器３に送信される（Ｓ１０４）。操作信号を受信した操作器３は、操作信号に応じた制御信号を照明器具２へ送信し、照明器具２を制御する（Ｓ１０５）。このように、照明制御システム１は中継装置を必要としないので、コストを抑制することができる。また、使用者情報に応じて照明器具が制御されるので、人感知センサによる照明制御の場合のように、ペット等の人間以外の動くものに反応して照明器具が点灯することを防止できる。
【００２８】
次に、本発明の第２の実施形態に係る照明制御システムについて図３及び図４を参照して説明する。本実施形態に係る照明制御システムは、第１の実施形態に係る照明制御システムと比べて、照明器具及び情報読取装置が同じ部屋に複数台設置される点で異なる。
【００２９】
図３は、照明制御システム１の構成を示す。照明制御システム１は、照明器具２Ａ、２Ｂと、照明器具２Ａ、２Ｂを操作するための操作器３Ａ、３Ｂと、使用者情報を記憶し、使用者に携帯されるＩＣタグ４（情報記憶部）と、ＩＣタグ４が取り付けられたスリッパ５と、ＩＣタグ４に記憶される使用者情報を読み取り、該使用者情報に応じて照明器具２Ａ、２Ｂを制御する情報読取装置６Ａ、６Ｂと、を同じ部屋に備える。なお、照明器具、操作器及び情報読取装置は２台に限られない。
【００３０】
情報読取装置６Ａ、６Ｂは、ＩＣタグ４から使用者情報を読み取ったとき、操作器３Ａ、３Ｂのいずれか１台又は両方に操作信号を送信する。
【００３１】
操作器３Ａ、３Ｂは照明器具２Ａ、２Ｂの両方を制御可能である。照明器具２Ａ、２Ｂが同じ照明器具であって、同じ制御方法により制御可能である場合、操作器出力される制御信号のチャンネル番号を同じにすることにより、照明器具２Ａ、２Ｂの両方を制御することができる。照明器具２Ａ、２Ｂの制御方法が異なる場合、同じ部屋の中にある照明器具２Ａ、２Ｂを一括して制御可能な制御部（不図示）を設け、操作器３Ａ、３Ｂから制御部に制御信号を送信することにより、照明器具２Ａ、２Ｂの両方を制御する。
【００３２】
このような構成により、広い部屋に複数台の照明器具が設置される場合に、１台の情報読取装置が使用者情報を読み取り、使用者情報に応じた操作信号を操作器に送信するとき、同じ部屋にある複数台の照明器具を制御することができ、実使用において違和感のない照明制御が可能となる。
【００３３】
図４は、照明制御システム１の動作手順を示す。ここで、使用者が、例えば情報読取装置６Ｂ近辺にいるとする。このような場合、情報読取装置６Ｂは使用者情報を読み取り（Ｓ２０１）、使用者情報及び使用者の現在位置に応じて照明制御パターンを選択し（Ｓ２０２）、照明制御パターンに基づく操作信号を操作器３Ｂに送信する（Ｓ２０３）。操作器３Ｂは操作信号を受信したとき、照明器具２Ａ、２Ｂに制御信号を送信し、照明器具２Ａ、２Ｂの照度を制御する（Ｓ２０４）。
【００３４】
使用者が情報読取装置６Ａ近辺に移動したとき（Ｓ２０５）、情報読取装置６Ａは使用者情報を読み取り（Ｓ２０６）、使用者情報及び使用者の現在位置に応じて照明制御パターンを選択し（Ｓ２０７）、照明制御パターンに基づく操作信号を操作器３Ａに送信する（Ｓ２０８）。操作器３Ａはこの操作信号を受信したとき、照明器具２Ａ、２Ｂに制御信号を送信し、照明器具２Ａ、２Ｂの照度を制御する（Ｓ２０９）。
【００３５】
このように、使用者の現在位置が変化したとき、使用者情報を読み取る情報読取装置が変わり、それに伴って照明器具の制御内容が変わる。このため、使用者の移動中に、情報読取装置が使用者情報を読み取ったとき、情報読取装置から照明器具までの距離の違いに応じて、照明器具の制御内容を変えることができる。例えば、使用者が近い照明器具を必要照度で点灯させ、使用者から遠い照明器具を暗く点灯させることができる。また、使用者情報を読み取った情報読取装置の位置と、当該装置が使用者情報を読み取った順番と、に応じて、複数台の照明器具を制御することができる。
【００３６】
次に、本発明の第３の実施形態に係る照明制御システムについて図５及び図６を参照して説明する。本実施形態に係る照明制御システムは、上記実施形態に係る照明制御システムと比べて、情報読取装置６が複数の使用者情報を受信した場合に、それらのいずれか一つの使用者情報に基づいて照明器具が制御される点で異なる。
【００３７】
図５は照明制御システムの構成を示す。照明制御システム１は、照明器具２と、照明器具２を操作するための操作器３と、使用者情報を記憶し、使用者に携帯される複数のＩＣタグ４Ａ、４Ｂ（情報記憶部）と、ＩＣタグ４が取り付けられたスリッパ５Ａ、５Ｂと、ＩＣタグ４Ａ、４Ｂに記憶される使用者情報を読み取り、該使用者情報に応じて照明器具２を制御する情報読取装置６と、を備える。
【００３８】
情報読取装置６は、複数のＩＣ４Ａ、４Ｂから複数の使用者情報を読み取り、これらのいずれか１つの使用者情報に応じて照明器具２を制御する。すなわち、情報読取装置６は、使用者情報のうち優先的に照明制御で参照する情報を設定してメモリに記憶し、当該情報に基づいて照明器具２を制御する。このため、情報読取装置が複数の使用者情報を受信した場合に、それらのいずれか一つの使用者情報に基づいて照明器具が制御されるので、使用者情報を読み取る度に制御内容が変わることがなく、制御の混乱を避け、安定した照明制御が可能となる。
【００３９】
図６は、照明制御システム１の動作手順を示す。ここで、同じ部屋の中に複数の使用者Ａ、Ｂが、情報読取装置６により使用者情報を読取可能な位置にいるとする。
【００４０】
情報読取装置６は使用者Ａの使用者情報と、使用者Ｂの使用者情報を読み取る（Ｓ３０１）。読取後、情報読取装置６は、各種使用者情報の優先順位を、予め設定された優先順位の情報に基づいて判断する（Ｓ３０２）。判断後、どちらかの使用者情報が優先的に参照され（Ｓ３０３）、照明器具２の点灯制御が行なわれる（Ｓ３０４）。ここで、使用者情報の優先順位は、必要照度の高さに基づいて定められる。このため、必要照度の一番高い人または動作内容に合わせて、照明制御することで複数の使用者の必要照度で照明器具２を点灯させることが可能となる。
【００４１】
次に、本発明の第４の実施形態に係る照明制御システムについて図７及び図８を参照して説明する。本実施形態に係る照明制御システムは、上記実施形態に係る照明制御システムと比べて、照明器具２が、照度を測定可能な照度測定器を有する点で異なる。
【００４２】
図７は、照明制御システム１の構成を示す。照明制御システム１は、照明器具２と、照明器具２を操作するための操作器３と、使用者情報を記憶し、使用者に携帯されるＩＣタグ４（情報記憶部）と、ＩＣタグ４が取り付けられたスリッパ５と、ＩＣタグ４に記憶される使用者情報を読み取り、該使用者情報に応じて照明器具２を制御する情報読取装置６と、照明器具２の照度を測定する照度測定器２１と、を備える。
【００４３】
照度測定器２１は、フォトダイオード、ＣｄＳ（Ｃａｄｍｉｕｍ  Ｓｕｌｆｉｄｅ）等の照度を測定する照度センサを含み、照明器具２のランプ配置面側に設けられる。また、照度測定器２１は、照明器具２の照度を測定し、測定結果を情報読取装置６に出力する。
【００４４】
情報読取装置６は、現在の照度が必要照度より低いか否かを判定するためのＣＰＵ等含む電気回路で構成される照度判定部６１を有する。照度判定部６１は、照度測定器２１からの測定結果に基づき、現在の照度が、使用者情報に応じて定められる必要照度以上の照度かどうかの判定を行なう。
【００４５】
図８は、照明制御システム１の動作手順を示す。照度測定器２１は、照明器具２の現在の照度を測定し、測定結果を情報読取装置６に出力する（Ｓ４０１）。情報読取装置６の照度判定部６１は、照度測定器２１からの測定結果に基づき、現在の照度が、使用者情報に応じて定められる必要照度以上の照度かどうかの判定を行なう（Ｓ４０２）。測定結果と必要照度とを比較して、測定結果が必要照度より低い場合（Ｓ４０３でＹｅｓ）、照明器具２の照度が必要照度以上の照度となるように照明制御が行なわれる（Ｓ４０４）。照明器具２が照明制御を連続的に行える照明器具である場合、上記の作業を繰り返し行うことで、適切な明るさとなる照度で照明器具２を点灯させることができる。測定結果が必要照度より低い場合（Ｓ４０３でＮｏ）、一連の動作は終了する。
【００４６】
このような動作のため、使用者別に、また使用者の動作内容別に必要とされる必要照度以上の照度で照明器具２を点灯させることができる。また、光源の光束減退により照度が低下した場合や、照明器具２の光出射面の汚れや材質劣化により照度が低下した場合等に、必要照度以上で点灯するように照度を補正することができ、より確実に必要照度で照明器具２を点灯させることができる。
【００４７】
次に、本発明の第５の実施形態に係る照明制御システムについて図９を参照して説明する。本実施形態に係る照明制御システムは、上記実施形態に係る照明制御システムと比べて、情報読取装置６は照明器具６を自動的に消灯させる点で異なる。
【００４８】
図９は、照明制御システム１の構成を示す。照明制御システム１は、照明器具２と、照明器具２を操作するための操作器３と、使用者情報を記憶し、使用者に携帯されるＩＣタグ４（情報記憶部）と、ＩＣタグ４が取り付けられたスリッパ５と、ＩＣタグ４に記憶される使用者情報を読み取り、該使用者情報に応じて照明器具２を制御する情報読取装置６と、時間を計るための時間計測部６２と、を備える。
【００４９】
時間計測部６２は、時間を計測するための回路であり、情報読取装置６内に設けられ、使用者情報を読み取った後の経過時間を計測する。
【００５０】
図１０は、照明制御システム１の動作手順を示す。情報読取装置６は、使用者情報を読み取った後、経過時間を時間計測部６２に計測させる（Ｓ５０１）。情報読取装置６は、時間計測部６２により一定期間の経過を認識し、次の使用者情報を読み取らなかった場合（Ｓ５０２でＹｅｓ）、照明器具を自動的に消灯させる（Ｓ５０３）。一定期間が経過していない場合であって（Ｓ５０２でＮｏ）、情報読取装置６が次の使用者情報を読み取ったとき（Ｓ５０４でＹｅｓ）、時間計測部６２により計測される経過時間がリセットされ（Ｓ５０５）、動作はＳ５０１へ戻る。情報読取装置６が次の使用者情報を読み取らない場合（Ｓ５０４でＮｏ）、動作はＳ５０２へ戻る。
【００５１】
このように、情報読取装置６が使用者情報を読み取った後、一定期間の間だけ照明器具２を点灯させることができるので、照明の消し忘れを防止することができ、照明制御システム１の省エネルギーを図ることができる。
【００５２】
本発明は、上記のような実施形態の構成に限定されるものでなく、使用目的に応じ、様々な変形が可能である。例えば、使用者情報部はＩＣタグ４に限られず、情報読取装置６によって使用者情報を読取可能な機器等であればよい。また、スリッパ５に取り付けられるＩＣタグ４に限られず、使用者の情報を検知できる検知手段であってもよい。当該検知手段には、例えば、荷重を確認する重さセンサ、体温を確認する温度センサが含まれる。また、ＩＣタグ４は、スリッパ５だけでなく、使用者が家の中で常時携帯するものに取り付けても構わない。例えば、下着、メガネ等の使用者が個々に家の中で携帯するものにＩＣタグ４を取り付けてもよい。また、使用者情報の信号、制御信号又は操作信号の通信は無線ではなく、有線によって行なわれてもよい。
【００５３】
また、必要照度Ｘは、上記の算出方法に限定されず、使用者が第１の部屋で第１の動作を行なう場合、第２の部屋で行なう第１の動作に応じた必要照度と、第２の部屋で行なう第２の動作に応じた必要照度と、の比率を求め、当該比率に、使用者が第１の部屋で行なう第２の動作に応じた必要照度を掛けることにより算出されてもよい。また、必要照度Ｘは、２０歳時の視力により正規化されたある年齢時の視力と、使用者の該当年齢時の視力との差を係数とし、動作属性に応じて選択された照度に当該係数を掛けることにより必要照度Ｘを算出してもよい。また、使用者情報の優先順位は、必要照度の他に、年齢、性別、視力等の使用者情報により定められてもよい。
【００５４】
また、照度測定器２１は、照明器具２だけではなく、操作器３、情報記憶部及び情報読取装置６のいずれかに設けられてもよい。また、照度測定器２１は独立して照明制御システム１に設けられても構わない。また、照度測定器２１は、照度を測定するだけでなく、ランプ取付開始時からの経過時間、ランプ点灯累積時間等を記憶し、予め登録されたランプの光束減退曲線を用いて当該時間から光束減退の値を求めることにより現在の照度を推定してもよい。また、照度測定器２１は、照度測定結果を、照度判定部６１を備える操作器３に出力しても構わない。
【図面の簡単な説明】
【００５５】
【図１】本発明の第１の実施形態に係る照明制御システムの構成を示す図。
【図２】上記照明制御システムによる照明制御の動作手順を示すフローチャート。
【図３】本発明の第２の実施形態に係る照明制御システムの構成を示す図。
【図４】上記照明制御システムによる照明制御の動作手順を示すフローチャート。
【図５】本発明の第３の実施形態に係る照明制御システムの構成を示す図。
【図６】上記照明制御システムによる照明制御の動作手順を示すフローチャート。
【図７】本発明の第４の実施形態に係る照明制御システムの構成を示す図。
【図８】上記照明制御システムによる照明制御の動作手順を示すフローチャート。
【図９】本発明の第５の実施形態に係る照明制御システムの構成を示す図。
【図１０】上記照明制御システムによる照明制御の動作手順を示すフローチャート。
【図１１】従来のホームコントローラを用いたシステムの構成を示す図。
【符号の説明】
【００５６】
１  照明制御システム
２、２Ａ、２Ｂ  照明器具
３、３Ａ、３Ｂ  操作器
４、４Ａ、４Ｂ  ＩＣタグ（情報記憶部）
５、５Ａ、５Ｂ  スリッパ
６、６Ａ、６Ｂ  情報読取装置
２１  照度測定器（照度測定手段）
６１  照度判定部
６２  時間計測部
【図１】
2007200715.tif 000004
【図２】
2007200715.tif 000005
【図３】
2007200715.tif 000006
【図４】
2007200715.tif 000007
【図５】
2007200715.tif 000008
【図６】
2007200715.tif 000009
【図７】
2007200715.tif 000010
【図８】
2007200715.tif 000011
【図９】
2007200715.tif 000012
【図１０】
2007200715.tif 000013
【図１１】
2007200715.tif 000014